(57)【要約】【課題】部屋の使用状況に合わせて部屋の環境を好適に整える。【解決手段】建物１０において、居室１１の出入口１５を開閉するドア１６にはドア開放センサ３１が設けられている。居室１１の出入口１５周辺には居室人感センサ３５が設けられており、廊下１２の出入口１５周辺には廊下人感センサ３６が設けられている。ドア開放センサ３１、居室人感センサ３５、廊下人感センサ３６はコントローラ４１に電気的に接続されており、コントローラ４１はこれらセンサ３１、３５、３６の検出信号に基づいて人が居室１１に出入りしたことを把握する。コントローラ４１は、人が居室１１に出入りした場合、居室１１にいる人を対象として優先順位を設定するとともにその優先順位に基づいて優先者を設定し、その優先者に合わせて居室１１の環境管理を行う。【選択図】図１
2011186779.tif 000002
【特許請求の範囲】
【請求項１】
建物の部屋にいる在室者に合わせて該部屋の環境を管理する部屋環境管理システムであって、
前記部屋への人の出入りに伴う前記在室者の増減を検出する増減検出手段と、
前記在室者に関する登録情報を取得する取得手段と、
前記増減検出手段により前記在室者の増減が検出された場合に、前記取得手段による情報取得の可否を含む情報取得結果に基づいて前記環境管理に対する前記在室者の優先順位を設定する優先順位設定手段と、
前記優先順位設定手段により設定された優先順位に基づいて優先者を設定する優先者設定手段と、
前記優先者設定手段により設定された優先者に合わせて前記部屋の環境を管理するべく管理処理を実施する制御手段と、
を備えていることを特徴とする部屋環境管理システム。
【請求項２】
前記優先者設定手段により設定される優先者を複数とするか否かを判定する複数判定手段を備え、
前記制御手段は、前記複数判定手段により優先者を複数とすると判定された場合に、該複数の優先者に合わせて前記管理処理を実施することを特徴とする請求項１に記載の部屋環境管理システム。
【請求項３】
前記複数判定手段は、
前記在室者のうち複数人があらかじめ定められた特定グループに属しているか否かを判定する手段と、
前記特定グループに属している在室者が複数いると判定された場合に、前記優先者を複数とするか否かを判定する手段と、
を有していることを特徴とする請求項２に記載の部屋環境管理システム。
【請求項４】
前記取得手段により取得された登録情報に基づいて、あらかじめ登録されている登録者及び登録されていない非登録者の両方が前記在室者に含まれているか否かを判定する手段を備え、
前記優先順位設定手段は、前記登録者及び前記非登録者の両方が前記在室者に含まれていると判定された場合に、前記非登録者が前記登録者より上位となるように前記優先順位を設定し、
前記優先者設定手段は、前記優先順位の上位者を前記優先者として設定することを特徴とする請求項１乃至３のいずれか１項に記載の部屋環境管理システム。
【請求項５】
前記取得手段により取得された登録情報に基づいて前記登録者ごとの部屋環境の目標値を設定する手段を備え、
前記制御手段は、前記優先者設定手段により設定された前記優先者が前記登録者である場合に該登録者の前記目標値に基づいて前記管理処理を実施し、前記優先者が前記非登録者であり且つ前記優先者でない前記登録者が複数在室している場合に各登録者の目標値を平均した平均値に基づいて前記管理処理を実施することを特徴とする請求項４に記載の部屋環境管理システム。
【請求項６】
人が前記部屋に出入りする予定を出入情報として取得する出入情報取得手段を備え、
前記優先順位設定手段は、前記取得手段の前記情報取得結果に加えて、前記出入情報取得手段により取得された出入情報に基づいて前記優先順位を設定することを特徴とする請求項１乃至５のいずれか１項に記載の部屋環境管理システム。
【請求項７】
前記増減検出手段により前記在室者の減少が検出された場合に、退室者は一時的に退室したのか否かを判定する手段を備え、
前記優先順位設定手段は、前記退室者の退室が一時的であると判定された場合に、前記退室者の退室に際しては前記優先順位の設定を行わないことを特徴とする請求項１乃至６のいずれか１項に記載の部屋環境管理システム。
【請求項８】
前記優先者設定手段は、前記増減検出手段により在室者の増加が検出された場合に、その増加検出から所定時間が経過するまでは前記優先順位に関係なく前記増加検出された人を優先者として設定することを特徴とする請求項１乃至７のいずれか１項に記載の部屋環境管理システム。
【発明の詳細な説明】
【技術分野】
【０００１】
本発明は、部屋の環境を管理する部屋環境管理システムに関するものである。
【背景技術】
【０００２】
住宅等の建物において、部屋にいる人に合わせて部屋の環境を管理する技術が提案されている。例えば特許文献１には、ユーザの所持する携帯機が住宅内機器に対してユーザ特有情報を出力可能となっており、住宅内機器が複数の携帯機からユーザ特有情報を受信した場合に、その住宅内機器についてのユーザの優先順位が取得され、その優先順位に基づいて住宅内機器の自動運転が実施される構成が記載されている。この構成では、ユーザが部屋に入った際にそのユーザの所持する携帯機と住宅内機器（例えばテレビ）との通信が可能となり、携帯機を所持するユーザが部屋内に複数人いる場合、それらユーザのうち住宅内機器についての優先順位が最も高いユーザを優先者として、その優先者に合わせて住宅内機器の自動運転（例えばテレビの音量調整）が行われる。
【先行技術文献】
【特許文献】
【０００３】
【特許文献１】特開２００８−２２５８２３号公報
【発明の概要】
【発明が解決しようとする課題】
【０００４】
しかしながら、上記特許文献１に記載されている構成では、住宅内機器はユーザが携帯機を所持していないことなどによりユーザが誰であるか特定できない場合、誰であるか特定できないユーザの優先順位を取得することはできない。つまり、住宅内機器はユーザが誰であるか特定できないとユーザの存在自体を把握することができない。したがって、ユーザが部屋内にいるにもかかわらず、住宅内機器の自動運転が行われないという不都合が生じるおそれがある。
【０００５】
本発明は、部屋の使用状況に合わせて部屋の環境を好適に整えることを主たる目的とする。
【課題を解決するための手段】
【０００６】
上記課題を解決するために、第１の発明の部屋環境管理システムは、建物の部屋にいる在室者に合わせて該部屋の環境を管理する部屋環境管理システムであって、前記部屋への人の出入りに伴う前記在室者の増減を検出する増減検出手段と、前記在室者に関する登録情報を取得する取得手段と、前記増減検出手段により前記在室者の増減が検出された場合に、前記取得手段による情報取得の可否を含む情報取得結果に基づいて前記環境管理に対する前記在室者の優先順位を設定する優先順位設定手段と、前記優先順位設定手段により設定された優先順位に基づいて優先者を設定する優先者設定手段と、前記優先者設定手段により設定された優先者に合わせて前記部屋の環境を管理するべく管理処理を実施する制御手段とを備えていることを特徴とする。
【０００７】
第１の発明によれば、在室者のうち優先者に合わせて部屋の環境が管理される構成において、人が部屋に出入りした場合に、在室者に関する登録情報を取得できてもできなくても在室者の優先順位が設定され、優先者が設定される。この場合、人が部屋に出入りさえすればその出入りした人が誰であっても優先順位が設定されるため、全ての在室者を優先順位に含めることが可能となる。このため、人が部屋にいるにもかかわらずその在室者が優先順位に含まれないといった不都合を回避できる。したがって、部屋の使用状況に合わせて部屋の環境を好適に整えることができる。
【０００８】
なお、上記構成においては、人が部屋に入ることで優先順位が一旦設定されてしまえば、その後は人の出入りに伴って優先順位が再設定されることになる。
【０００９】
第２の発明では、前記優先者設定手段により設定される優先者を複数とするか否かを判定する複数判定手段を備え、前記制御手段は、前記複数判定手段により優先者を複数とすると判定された場合に、該複数の優先者に合わせて前記管理処理を実施する。
【００１０】
第２の発明によれば、優先者が複数設定されるため、部屋の環境を在室者のうち１人だけでなく複数人にとって都合の良い環境とすることができる。例えば、部屋に高齢者が複数いる場合、部屋の環境をいずれか一方の高齢者だけにとって都合の良い環境ではなく、いずれの高齢者にとっても都合の良い環境とすることができる。
【００１１】
第３の発明では、前記複数判定手段は、前記在室者のうち複数人があらかじめ定められた特定グループに属しているか否かを判定する手段と、前記特定グループに属している在室者が複数いると判定された場合に、前記優先者を複数とするか否かを判定する手段とを有している。
【００１２】
第３の発明によれば、在室者のうち複数人が特定グループに属している場合に、優先者を複数設定することが可能となる。環境調整の必要な複数の在室者がいる場合、それら在室者が共通して有する項目等により特定グループが定められていれば、部屋の環境を各在室者のそれぞれにとって都合の良い環境とすることができる。例えば、年齢に制限を有する特定グループが定められていれば、複数の高齢者に合わせて部屋環境を調整することができる。
【００１３】
第４の発明では、前記取得手段により取得された登録情報に基づいて、あらかじめ登録されている登録者及び登録されていない非登録者の両方が前記在室者に含まれているか否かを判定する手段を備え、前記優先順位設定手段は、前記登録者及び前記非登録者の両方が前記在室者に含まれていると判定された場合に、前記非登録者が前記登録者より上位となるように前記優先順位を設定し、前記優先者設定手段は、前記優先順位の上位者を前記優先者として設定する。
【００１４】
第４の発明によれば、優先順位の上位者が優先者に設定される構成において、非登録者が登録者よりも優先順位で上位とされる。したがって、登録者よりも非登録者を優先して部屋の環境管理を行うことができる。これにより、例えば非登録者としての客と登録者としての住人とが部屋にいる場合に、住人ではなく客に合わせて部屋の環境を整えることができる。
【００１５】
第５の発明では、前記取得手段により取得された登録情報に基づいて前記登録者ごとの部屋環境の目標値を設定する手段を備え、前記制御手段は、前記優先者設定手段により設定された前記優先者が前記登録者である場合に該登録者の前記目標値に基づいて前記管理処理を実施し、前記優先者が前記非登録者であり且つ前記優先者でない前記登録者が複数在室している場合に各登録者の目標値を平均した平均値に基づいて前記管理処理を実施する。
【００１６】
第５の発明によれば、優先者が登録者であれば部屋環境の目標値が登録情報に基づいて設定される構成において、優先者が非登録者であっても優先者でない登録者が複数在室していれば部屋環境の目標値を登録情報に基づいて設定される。このため、非登録者が優先者に設定された場合に部屋の環境管理を行うことができないという不都合を回避できる。また、非登録者に対応した目標値は登録者に対応した目標値の平均値とされるため、非登録者が優先者である場合に部屋の環境を在室者のいずれにとっても都合の良い環境とすることができる。
【００１７】
第６の発明では、人が前記部屋に出入りする予定を出入情報として取得する出入情報取得手段を備え、前記優先順位設定手段は、前記取得手段の前記情報取得結果に加えて、前記出入情報取得手段により取得された出入情報に基づいて前記優先順位を設定する。
【００１８】
第６の発明によれば、優先順位を設定するためのパラメータに部屋への人の出入り予定が含まれるため、実際に人が部屋に出入するよりも前に優先者を変更し、その優先者に合わせて部屋の環境を整えることができる。したがって、部屋において例えば温度や湿度など整えるまでに時間を要する環境要素について好適に管理することができる。
【００１９】
第７の発明では、前記増減検出手段により前記在室者の減少が検出された場合に、退室者は一時的に退室したのか否かを判定する手段を備え、前記優先順位設定手段は、前記退室者の退室が一時的であると判定された場合に、前記退室者の退室に際しては前記優先順位の設定を行わない。
【００２０】
第７の発明によれば、人が部屋に一時的に出入する場合には優先順位の再設定が行われない。したがって、部屋に継続して滞在している人に合わせて部屋の環境を整えることができる。
【００２１】
第８の発明では、前記優先者設定手段は、前記増減検出手段により在室者の増加が検出された場合に、その増加検出から所定時間が経過するまでは前記優先順位に関係なく前記増加検出された人を優先者として設定する。
【００２２】
第８の発明によれば、人が部屋に入った場合、入室者は入室に合わせて一時的にその入室者の優先順位に関係なく優先者とすることが可能となる。この場合、入室者の身体が部屋の環境に慣れるまでは部屋の環境を入室者に合わせて調整することが可能となるため、部屋の内外で環境が異なることで入室者に付与される違和感を緩和することができる。その一方で、入室者が優先者とされているのは一時的であるため、入室者が部屋の環境に慣れた後は本来の優先者に合わせて部屋の環境を整えることができる。
【図面の簡単な説明】
【００２３】
【図１】本実施形態における建物の居室周辺の構成を示す平面図。
【図２】居室環境管理制御処理の処理手順を示すフローチャート。
【発明を実施するための形態】
【００２４】
以下、本発明を具体化した一実施形態を図面に基づいて説明する。本実施形態では、本発明を部屋としての居室の環境を管理する部屋管理システムとして具体化している。図１は建物１０における居室１１周辺の構成を示す平面図である。図１は部屋管理システムに関する電気的な構成を示すブロック図を含んでいる。
【００２５】
図１に示すように、住宅等の建物１０には部屋としての居室１１と廊下１２とが設けられている。居室１１及び廊下１２は建物内空間となっており、隣り合わせて配置されている。建物１０の仕切壁のうち居室１１と廊下１２とを仕切る部分には出入口１５が設けられている。出入口１５には開閉体としてのドア１６が設けられており、ドア１６は開き戸となっている。
【００２６】
居室１１には、照明器具２１（ブロック図に図示）とエアコン２２と視聴覚機器２３とが設けられている。照明器具２１は、居室１１の明るさを調整する調光機能を有しており、例えば天井面に取り付けられている。エアコン２２は、居室１１の温度や湿度を調整する空調装置となっており、壁面に取り付けられている。視聴覚機器２３は、音声を出力し且つ出力音量を調整可能なテレビやオーディオ機器となっており、例えばテレビ台やオーディオラックに載置されている。居室１１においては、照度や温度、湿度、音量といった室内環境が照明器具２１やエアコン２２、視聴覚機器２３により調整される。
【００２７】
本実施形態では、居室１１の在室者に合わせて室内環境を管理する部屋環境管理システムが構築されている。部屋環境管理システムは、居室１１への人の出入りに合わせて部屋環境の管理に対する在室者の優先順位を設定し、その優先順位に基づいて管理処理を行う構成となっている。
【００２８】
まず、居室１１への人の出入りを検出する構成について説明する。
【００２９】
出入口１５にはドア１６の開放を検出するドア開放センサ３１が設けられている。具体的には、出入口１５にはドア１６を支持するドア枠が設けられており、ドア枠にはドア１６のラッチを係止させる被係止部が形成されている。ラッチはドア１６の側面から出没可能となっており、突出状態で被係止部に係止されることによりドア１６を閉鎖状態で保持する。ドア開放センサ３１は被係止部に設けられており、被係止部に対するラッチの係止状態が解除されたことを検出することでドア１６が開放されたことを検出する。
【００３０】
居室１１には、出入口１５を通って居室１１に出入りする人を検知する居室人感センサ３５が設けられており、廊下１２には出入口１５を通って廊下１２に出入りする人を検知する廊下人感センサ３６が設けられている。居室人感センサ３５は例えば出入口１５周辺における居室１１の天井面に取り付けられており、廊下人感センサ３６は例えば出入口１５周辺における廊下１２の天井面に取り付けられている。
【００３１】
人が廊下１２から出入口１５を通って居室１１に入る場合、廊下人感センサ３６による人検知、ドア開放センサ３１によるドア１６の開放検出、居室人感センサ３５による人検知がこの順で連続的に行われる。また、人が居室１１から出入口１５を通って廊下１２に出る場合、居室人感センサ３５による人検知、ドア開放センサ３１によるドア１６の開放検出、廊下人感センサ３６による人検知がこの順で連続的に行われる。したがって、廊下人感センサ３６、ドア開放センサ３１、居室人感センサ３５により居室１１への人の出入りを検出することが可能となっている。
【００３２】
なお、ドア開放センサ３１、居室人感センサ３５、廊下人感センサ３６により増減検出手段が構成されている。
【００３３】
次に、部屋環境管理システムに関する電気的な構成について説明する。
【００３４】
部屋環境管理システムは制御手段としてのコントローラ４１を有している。コントローラ４１はＣＰＵや各種メモリ等からなるマイクロコンピュータを含んで構成されている。コントローラ４１は建物１０内に設けられており、例えば居室１１の壁面に取り付けられている。コントローラ４１は部屋環境管理システムに関する情報を記憶する記憶部４２を有している。記憶部４２には、例えば、住人等の登録者の識別情報や、登録者の生体情報、人の行動予定を示すスケジュール情報や、居室１１への人の出入り予定を示す出入情報、人の嗜好に関する情報などが含まれている。
【００３５】
コントローラ４１には、ドア開放センサ３１、居室人感センサ３５、廊下人感センサ３６、居室１１の温度を検出する居室温度センサ４５、人の生体情報を取得する生体センサ４６が接続されており、これらセンサ３１，３５，３６，４５，４６は検出信号をコントローラ４１に対して出力する。
【００３６】
居室温度センサ４５は居室１１において例えば居室１１の壁面に取り付けられている。生体センサ４６は例えばドア１６のドアノブに設けられており、居室１１に出入りする人がドア１６を開けるためにドアノブを持った際にその人の体温や心拍数などといった生体情報を取得する。生体センサ４６は、検出した生体情報をコントローラ４１に対して出力り、コントローラ４１は生体センサ４６からの生体情報を記憶部４２に記憶させる。
【００３７】
コントローラ４１には、人により入力操作が行われる操作装置５１と、有線又は無線通信が可能な通信装置５２とが接続されている。操作装置５１は建物１０内に設けられており、例えば居室１１の壁面において人が操作可能な位置に取り付けられている。操作装置５１は、入力操作により入力された情報をコントローラ４１に対して出力し、コントローラ４１は入力された情報を記憶部４２に記憶させる。操作装置５１から入力される情報としては、人のスケジュール情報や出入情報などが挙げられる。
【００３８】
通信装置５２は、人が携帯可能な携帯機Ｋとの無線通信が可能となっている。携帯機Ｋは携帯者の識別情報を記憶しており、識別情報を無線通信にて出力する。通信装置５２は例えば出入口１５に設けられており、携帯機Ｋの携帯者が出入口１５を通過した場合に携帯機Ｋから識別情報を受信する。コントローラ４１は、通信装置５２を通じて携帯機Ｋの識別情報を取得し、携帯機Ｋからの識別信号と記憶部４２に記憶されている識別情報とを照合して携帯者の認証処理を行い、それら識別信号が一致する場合に携帯者を登録者であると判定する。この場合、識別信号が一致しない携帯者や、携帯機Ｋを所持していない人は非登録者であると判定する。
【００３９】
なお、コントローラ４１は、例えば通信装置５２を通じてインターネットに接続されており、インターネットから天気情報などを部屋環境管理システムに関する情報として取得する。
【００４０】
部屋環境管理システムにおいてコントローラ４１は、居室１１の環境を管理する居室環境管理制御処理を行う。ここでは、居室環境管理制御処理の処理手順について図２のフローチャートを参照しつつ説明する。なお、居室環境管理制御処理は所定周期で繰り返し実行される。
【００４１】
図２において、ステップＳ１１では、ドア開放センサ３１、居室人感センサ３５、廊下人感センサ３６の検出信号に基づいて居室１１に人が出入りしたか否かを判定する。ちなみに、出入口１５の廊下１２側の人の存在、ドア開放、出入口１５の居室１１側の順で連続的に検知が行われた場合に入室者有りと判定し、出入口１５の居室１１側の人の存在、ドア開放、出入口１５の廊下１２側の順で連続的に検知が行われた場合に退室者有りと判定する。居室１１に人が出入りした場合、ステップＳ１２に進み、通信装置５２からの信号に基づいて入室者又は退室者の認証処理を行う。これにより、居室１１に出入りした人を特定する。なお、認証処理には、入室者又は退室者について登録者と非登録者とを識別する処理が含まれている。
【００４２】
ステップＳ１３では、居室１１の在室者を対象として優先順位を設定するか否かを判定する。ここでは、人が居室１１に出入りした場合に、入室や退室が一時的であるか否かをスケジュール情報や出入情報に基づいて判定し、入室や退室が一時的でない場合に優先順位の再設定を行うとし、入室や退室が一時的である場合に優先順位の再設定を行わないとする。なお、退室が一時的な場合としては、例えば居室１１にてテレビ観賞予定の時間帯であるとのスケジュール情報が登録されている人がトイレに行く場合が挙げられ、入室が一時的な場合としては、例えばこれから外出する予定であるとのスケジュール情報が登録されている人が忘れ物を取りに居室１１に戻った場合が挙げられる。
【００４３】
優先順位を設定しない場合、居室１１への人の出入りに関係なく居室１１の環境を現状のまま保持するとして本居室環境管理制御処理を終了し、優先順位を設定する場合、ステップＳ１４に進む。
【００４４】
ステップＳ１４では、居室１１の在室者を対象として優先順位を設定する。ここでは、入室者又は退室者に関する情報を取得し、その情報を記憶部４２に記憶させる。そして、記憶部４２に記憶されている過去の入室者又は退室者に関する情報に基づいて居室１１に現在いる在室者を特定するとともに、在室者に関する情報を取得し、全ての在室者を対象として優先順位を設定する。したがって、居室１１に人が出入りした場合、既に設定されていた優先順位を基準とすれば優先順位を再設定することになる。
【００４５】
ここで、優先順位は優先条件を定めるとともにその条件に合わせて設定する。例えば優先条件を年齢とした場合、高齢者など年齢の高い人が上位者となるように優先順位を設定する。また、優先条件を健康状態とした場合、持病を有する人や体調不良である人が上位者となるように優先順位を設定する。さらに、優先条件を非登録者とした場合、客や訪問者など非登録者が上位者となるように優先順位を設定する。
【００４６】
ステップＳ１５では、優先順位に基づいて優先者を設定する。ここでは、あらかじめ定めた基準に基づいて特定グループを設定し、優先順位の最上位者を含む上位者複数がその特定グループに属しているか否かを判定する。そして、最上位者と最上位者以外の上位者（例えば２位や３位）とが特定グループに属していれば最上位者を含む上位者複数を全て優先者に設定し、最上位者と最上位者以外の上位者とが特定グループに属していなければ最上位者だけを優先者に設定する。
【００４７】
なお、特定グループの設定基準としては、例えば年齢や生体情報、嗜好、登録者であるか否かなどが挙げられる。これら設定基準に基づいて設定される特定グループとしては、高齢者が属するグループや体調不良の人が属するグループ、来客等の非登録者が属するグループなどが挙げられる。
【００４８】
ステップＳ１６では、優先者が登録者であるか否かを判定する。優先者が登録者である場合、ステップＳ１７に進み、優先者の登録情報を記憶部４２から取得する。なお、登録情報には生体情報、スケジュール情報、出入情報などが含まれている。ステップＳ１８では、記憶部４２から取得した登録情報に基づいて優先者ごとに環境目標値を算出する。ここでは、環境目標値として、優先者の健康状態や嗜好に合わせて居室１１の照度や温度、湿度、音量などを優先者ごとに算出する。
【００４９】
ステップＳ１９では、優先者が複数であるか否かを判定する。優先者が複数でない場合、ステップＳ２１に進み、優先者の環境目標値を目標情報として取得する。ステップＳ２２では、目標情報に基づいて部屋管理処理を行う。この場合、１人の優先者に合わせて居室１１の環境を管理することになる。ここでは、居室１１の環境が優先者の環境目標値で定められた照度や温度、湿度、音量となるように照明器具２１やエアコン２２、視聴覚機器２３を動作させる。例えば、照度が不足していれば照明器具２１を点灯させ、温度や湿度が低ければエアコン２２に暖房運転や加湿運転を行わせ、音量が大きければ視聴覚機器２３の音量を小さくさせる。
【００５０】
なお、居室１１に報知装置が設けられていれば、照明器具２１やエアコン２２、視聴覚機器２３の手動操作を推奨するアドバイス等の音声を報知装置から出力させてもよい。
【００５１】
優先者が複数の場合、ステップＳ２０に進み、複数の優先者の各環境目標値について平均値を算出する。例えば、優先者ごとに環境目標値として目標温度が設定されていれば、その目標温度の平均値を算出する。ステップＳ２１では、複数の優先者について環境目標値の平均値を目標情報として取得し、ステップＳ２２では目標情報としての前記平均値に基づいて部屋管理処理を行う。この場合、全ての優先者にとって不適とならないように居室１１の環境を管理することになる。
【００５２】
優先者が非登録者である場合（ステップＳ１６がＮＯ判定の場合）、ステップＳ２３に進み、非優先者に登録者が含まれているか否かを判定する。ここで、非優先者は優先順位が優先者より下位にある在室者である。なお、優先者が非登録者であって非優先者に登録者が含まれている場合としては、客（優先者）と住人（非優先者）とが居室１１にいる場合が想定され、優先者が非登録者であって非優先者に登録者が含まれていない場合としては、客だけが居室１１にいる場合が想定される。非優先者に登録者が含まれている場合、ステップＳ２４に進み、非優先者である登録者の登録情報を記憶部４２から取得する。ステップＳ２５では、記憶部４２から取得した登録情報に基づいて非優先者ごとに環境目標値を算出する。
【００５３】
ステップＳ２６では、在室者のうち非優先者である登録者の登録情報に基づいて、非登録者の目標情報を取得する。ここでは、在室者ではあるが優先者とはなっていない（非優先者である）登録者の環境目標値を目標情報として取得し、非優先者が１人の場合はその非優先者の環境目標値をそのまま目標情報とする。また、非優先者が複数の場合はそれら非優先者の各環境目標値の平均値を目標情報とする。ステップＳ２２では目標情報としての非優先者の環境目標値に基づいて部屋管理処理を行う。
【００５４】
非優先者に登録者が含まれていない場合（ステップＳ２３がＮＯ判定の場合）、ステップＳ２７にて、記憶部４２に記憶されている全登録者の登録情報を取得し、ステップＳ２８にてその登録情報に基づいて登録者ごとに環境目標値を算出する。ステップＳ２９では、全登録者の各登録情報に基づいて非登録者の目標情報を取得する。ここでは、居室１１にいない登録者の環境目標値を目標情報として取得する。なお、登録者が１人の場合はその登録者の環境目標値がそのまま目標情報として取得され、登録者が複数の場合はそれら登録者の各環境目標値の平均値が目標情報として取得される。ステップＳ２２では目標情報としての登録者の環境目標値に基づいて部屋管理処理を行う。
【００５５】
続いて、居室１１に人が出入りした場合における居室１１の環境管理の例について説明する。
【００５６】
例えば、居室１１に体調不良の祖母と体調良好な子供とが在室しており、優先順位の１位が祖母とされ２位が子供とされている場合に、体調良好な父が居室１１に入ると優先順位の再設定が行われる。この場合、父の優先順位が祖母より低く子供より高いと、父の優先順位が２位とされ、子供が３位に変更される。ここで、特定グループが年齢を基準とした高齢者グループとされており、高齢者グループに属する在室者が祖母だけである場合、優先順位が最上位の祖母だけが優先者に設定され、祖母に合わせて居室１１の環境が整えられる。つまり、高齢者であって体調不良の人に合わせて居室１１の環境が整えられる。
【００５７】
なお、特定グループが体調を基準とした体調不良グループとされていても、体調不良グループに属する在室者が祖母だけであれば、特定グループが高齢者グループとされた場合と同様に、優先順位が最上位の祖母だけが優先者に設定される。この場合も、高齢者であって体調不良の人に合わせて居室１１の環境が整えられる。
【００５８】
体調不良の祖母と体調良好な子供が在室している居室１１に、父ではなく体調良好な祖父が入り、祖母の優先順位が１位、祖父が２位、子供が３位に設定された場合、特定グループが高齢者グループとされ、祖母及び祖父が高齢者グループに属していれば、優先順位が最上位の祖母に加えて２位の祖父が優先者に設定される。この場合、居室１１の環境を高齢者に適した環境にすることができる。
【００５９】
祖母、子供、祖父が居室１１に在室しており、全員が予定通りにテレビ視聴しており、祖母が優先者に設定されている場合に、祖母がトイレに行くために居室１１から出たとしても優先順位の再設定が行われない。この場合、祖母が居室１１から出ても祖母に合わせた居室１１の環境が保持される。したがって、優先者が一時的に退室した際に他の在室者に合わせて居室１１の環境を変えてしまうということを抑制できる。
【００６０】
祖母、子供、祖父が居室１１に在室しており、祖母が予定通りに外出する場合、祖母の退室が一時的ではないため優先順位の再設定が行われる。この場合、優先者が祖母から祖父へ変更されれば、祖父に合わせて居室１１の環境が整えられる。
【００６１】
祖母、子供が居室１１に在室しており、外出する予定となっている祖母が忘れ物を取りに居室１１に入った場合、その入室は一時的であるため優先順位の再設定は行われない。この場合、本来は優先者に設定される祖母が一時的に入室しても、祖父に合わせた居室１１の環境が保持される。したがって、人が一時的に入室しても継続的に在室している人に合わせて居室１１の環境が整えられる。
【００６２】
母が居室１１に在室しており、父と訪問者としての客とが居室１１に入った場合、客が最上位となるように優先順位の設定が行われる。この場合、客に合わせて居室１１の環境を整えるための情報はないが、父と母との各環境目標値の平均値を目標として居室１１の環境が整えられる。したがって、登録者でない人が優先者とされても照明器具２１やエアコン２２の動作制御が行われないといったことが回避され、居室１１の環境が整えられる。
【００６３】
居室１１において母及び父が不在で客だけ在室しており、父、母、祖父、祖母、子供等が登録者となっている場合、全ての登録者の各環境目標値の平均値を目標として居室１１の環境が整えられる。したがって、客等の非登録者だけが居室１１にいる場合でも、照明器具２１やエアコン２２などの動作制御が行われないといったことが回避され、居室１１の環境が整えられる。
【００６４】
以上詳述した本実施形態によれば、以下の優れた効果が得られる。
【００６５】
人が居室１１に出入りした場合に在室者の優先順位が設定されるとともに、居室１１の環境調整に際しての優先者が設定される。このため、居室１１に対して住人などの登録者が出入りした場合はもちろんのこと客等の非登録者が出入りした場合に都度の優先者が設定される。つまり、人が居室１１に出入りさえすればその出入りした人が誰であっても優先順位が設定される。この場合、滑っての在室者を優先順位に含めることが可能となるため、人が居室１１にいるにもかかわらずその人が登録者でないから優先順位に含まれないといった不都合を回避できる。この結果、居室１１の使用状況に合わせて居室１１の環境を好適に整えることができる。
【００６６】
居室１１において在室者の優先順位において最上位とそれより下位の在室者とが特定グループに属している場合、最上位者を含んで複数の上位者が優先者とされる。この場合、居室１１の環境を優先順位の最上位の在室者だけでなく複数の在室者にとって都合の良い環境とすることができる。したがって、年齢や健康状態、嗜好などを基準として設定された特定グループに属する人が居室１１に複数いる場合に、居室１１の環境を好適に整えることができる。
【００６７】
在室者の優先順位において最上位とそれより下位の在室者とが特定グループに属していない場合、最上位者だけが優先者とされる。この場合、例えば温度や湿度といった環境に体調などが最も影響されやすい人に合わせて居室１１の環境を整えることができる。また、優先順位の最上位者だけが優先者に設定される場合と、上位者複数が優先者に設定される場合とが在室者に合わせて選択されるため、居室１１にいる人の状況に合わせて部屋の環境を好適に整えることができる。例えば、居室１１にいる高齢者が１人及び複数のいずれでも高齢者の人数に合わせて部屋の環境管理を実施できる。
【００６８】
コントローラ４１が優先順位を設定する際の優先条件に健康状態が含まれているため、体調不良の人に合わせて居室１１の環境を整えることができる。例えば、子供が体調不良として風邪により発熱状態にある場合、その子供が最上位となるように優先順位が設定されるとともにその子供が優先者に設定される。これにより、子供の体調回復を促進することができる。
【００６９】
居室１１に客等の非登録者が入った場合、その非登録者が上位となるように優先順位が設定され、優先順位の上位者が優先者とされる。つまり、居室１１に登録者及び非登録者の両方がいる場合、非登録者が優先者に設定される。この場合、居室１１の環境を客にとって都合の良い環境とすることができるため、居室１１にて客人をもてなすことを考えた場合に好都合である。
【００７０】
居室１１において非登録者が優先者に設定され、優先者となっていない在室者に登録者が含まれている場合、その登録者に対応させた環境目標値に基づいて居室管理処理が行われる。したがって、環境目標値を有さない非登録者が優先者に設定された場合に、居室１１の環境管理が行われないという不都合を回避できる。また、在室者に優先者となっていない登録者が複数含まれている場合、それら登録者の各環境目標値の平均値を目標として居室１１の環境が整えられるため、居室１１の環境を在室者のいずれにとっても都合のより環境とすることができる。
【００７１】
人が居室１１に出入りする場合に、その出入りが一時的なものであれば優先順位の設定が行われない。例えば、人が一時的に入室した場合、その入室者が本来は優先者に設定される人であっても、居室１１に継続して滞在している人に合わせて居室１１の環境を整えることができる。また、優先者が一時的に退室した場合、その優先者が居室１１に再び戻った際に居室１１の環境が優先者に合わせた環境にて保持されているため、優先者が再入室した際に付与される違和感を緩和することができる。
【００７２】
（他の実施形態）
本発明は上記実施形態の記載内容に限定されず、例えば次のように実施してもよい。
【００７３】
（１）居室１１に人が入った場合、その入室者の優先順位に関係なく同入室者を一時的に優先者に設定してもよい。この場合、入室者が居室１１に入ってから所定時間（例えば１０分）はその入室者を優先者として居室１１の環境管理が行われる。つまり、入室者の身体が居室１１の環境（例えば温度）になれるまで居室１１の環境が入室者に合わせて整えられる。このため、居室１１の内外で環境が異なることで入室者に付与される違和感を緩和することができる。その一方で、入室者が優先者とされているのは一時的であるため、入室者が居室１１の環境に慣れた後は本来の優先者に合わせて居室１１の環境を整えることができる。
【００７４】
（２）人が居室１１に出入りする予定に合わせてその人が実際に居室１１に出入りする前に優先順位を設定してもよい。例えば、コントローラ４１がスケジュール情報や出入情報に基づいて人が居室１１に出入りする時刻を推定し、その時刻より所定時間（例えば１５分）だけ前に優先順位を再設定する構成とする。
【００７５】
この構成によれば、例えば、入室予定者が優先者に設定された場合、その入室予定者が実際に居室１１に入る前に居室１１の環境が同入室予定者にとって都合の良い環境に整えられる。したがって、温度や湿度など調整にある程度の時間を要する環境要素についても、入室予定者が実際に居室１１に入ったときからその入室予定者にとって快適な状態にすることができる。
【００７６】
また、退室予定者が優先者に設定されている場合、退室予定者が実際に退室するより所定時間だけ前に優先者が他の在室者に変更される。この場合、居室１１において滞在時間の長い人に合わせて居室１１の環境を整えることができる。
【００７７】
（３）在室者に対して設定される優先順位は建物内空間ごとに異なってもよい。例えば、居室１１や居間、食堂、廊下など共用空間とされるパブリックエリアについては高齢者が上位者となるように優先順位が設定され、寝室や子供部屋、高齢者室など主使用者が定められているプライベートエリアについては主使用者が上位者となるように優先順位が設定される構成とする。
【００７８】
なお、プライベートエリアについての上位者は、例えば寝室が父や母、子供部屋が子供、高齢者室が高齢者とされる。また、優先順位が建物内空間ごとに異なる構成においても、上記実施形態と同様に、優先順位は客等の非登録者が上位者となるように設定されてもよい。
【００７９】
（４）居室１１でなく建物１０内にいる人を滞在者として優先順位を設定してもよい。この場合、例えば帰宅者や訪問者が建物１０内に入ると同時に優先順位を再設定することができる。したがって、帰宅者や訪問者が建物１０に入ることで優先者が変更されたとしても、その優先者に合わせた居室１１の環境調整をいち早く開始することができる。
【００８０】
（５）コントローラ４１は、人が居室１１に出入りする際に生体センサ４６により検出された生体情報に基づいて入退室者を登録者と非登録者とに識別する識別処理を行ってもよい。例えば、入退室者から検出された生体情報と記憶部４２に記憶されている生体情報とを比較し、一致すればその入退室者を登録者とし、一致しなければその入退室者を非登録者とする。
【００８１】
（６）人を識別する認証処理は、既に居室１１に居る人を対象として行われてもよく、既に居室１１から出た人を対象として行われてもよい。要は、認証処理により居室１１に実際に居る在室者が取得される構成であればよい。
【００８２】
（７）上記実施形態では、居室１１への人の出入りが一時的であるか否かの判定は、その人のスケジュール情報や出入情報に基づいて行われたが、居室１１に入った人の実際の滞在時間や居室１１から出た人の実際の不在時間に基づいて行われてもよい。例えば、人が入室した場合に、継続して在室している時間が所定時間（例えば５分）に達すればその入室は一時的ではないとし、人が退室した場合に、継続して不在としている時間が所定時間（例えば５分）に達すればその退室は一時的ではないとする。この場合、人の出入りがあった際に、所定時間は優先順位及び優先者の設定を行わず（遅延処理を行い）、所定時間後に入室や退室が継続されていれば一時的ではなく本当に出入りがあったとして優先順位及び優先者の設定を行うことになる。
【００８３】
（８）居室１１の環境調整について登録者に対応した環境目標値は可変設定されてもよい。例えば、登録者となっている子供が体調不良であって優先者に設定された場合、子供の環境目標値を体調に合わせて可変設定してもよい。例えば、室温の目標値を高めの（例えば２℃高い）温度に変更し、視聴覚機器２３の音量を小さめの音量に変更する。また、非登録者については、登録者の環境目標値に基づいて算出した目標値を屋外環境に合わせて変更してもよい。例えば、温度について夏期であれば目標値より２℃低い値に変更し、冬期であれば目標値より２℃高い値に変更する。
【００８４】
また、非登録者についての目標値は、登録者の環境目標値に基づいて設定されるのではなく、あらかじめ定められた規定値とされてもよい。また、この場合、非登録者についての目標値は、季節や天気、時間帯などに応じて可変設定されてもよい。
【００８５】
（９）居室１１に人がいない場合に居室１１の環境を管理する処理が実施されてもよい。例えば、所定時間後（例えば３０分後）に人が居室１１に入る予定になっている場合、その入室予定者が登録者であればその登録者の環境目標値となるように居室１１の環境を整える構成とする。ここでは、まだ居室１１に人がいないことを考慮して、環境目標値を可変設定することが好ましい。例えば、温度について夏期であれば３０℃に設定し、冬期であれば１６℃に設定する。また、照明器具２１は消灯させ、視聴覚機器２３の電源はＯＦＦとする。これにより、人が不在の居室１１の環境管理について省エネルギ効果を高めることができる。
【００８６】
（１０）居室１１における人の増減を検出する構成としては、居室１１において在室者の人数を検出するセンサが設けられている構成や、人の通過及び通過方向を検出するセンサが出入口１５に設けられている構成、携帯機Ｋが現在位置を検出する機能を有し、コントローラ４１が携帯機Ｋから信号に基づいて携帯者の現在位置を算出する構成などが挙げられる。
【００８７】
（１１）地震や停電等の外乱要因が生じた場合に優先順位の設定が行われてもよい。例えば、居室１１において子供が高齢者より上位となるように優先順位が設定されている場合、地震発生を条件として、高齢者が子供より上位となるように優先順位の再設定が行われる構成とする。この構成において、高齢者が優先者とされた場合の視聴覚機器２３の音量が子供の場合に比べて大きくされていれば、視聴覚機器２３から出力される地震情報等の音声を高齢者に聞こえやすくすることができる。
【００８８】
（１２）停電時に電力供給を行う蓄電装置が設けられており、給電対象となる複数の建物内空間に対して給電に際しての優先順位が設定される構成としてもよい。例えば、停電が発生した場合に各建物内空間の在室者に合わせて給電先の優先順位が設定される構成とする。この構成では、複数の建物内空間のうち在室者の人数が多い順に上位から並べて優先順位を設定し、最上位の建物内空間を優先空間として蓄電装置からの電力供給を行う。この場合、在室者に高齢者や子供が含まれている建物内空間や、在室者に客等の非登録者が含まれている建物内空間を優先空間としてもよい。
【符号の説明】
【００８９】
１０…建物、１１…部屋としての居室、３１…増減検出手段を構成するドア開放センサ、３５…増減検出手段を構成する居室人感センサ、３６…増減検出手段を構成する廊下人感センサ、４１…取得手段、優先順位設定手段、優先者設定手段、制御手段、複数判定手段及び出入情報取得手段としてのコントローラ。
【図１】
2011186779.tif 000003
【図２】
2011186779.tif 000004